(57)【要約】【課題】従来の後処理装置は、断裁部で断裁された印刷用紙から生成された断裁屑のうち、回収容器より大きい断裁屑の場合、回収容器に収まりきらないことがあった。【解決手段】印刷用紙を搬送する搬送部１０４と、搬送部１０４により搬送される印刷用紙Ｐを、成果物３００と、成果物３００以外の断裁屑とに分割する断裁部１０１と、搬送部１０４により搬送される成果物３００が排出されるメイントレイ１１２と、断裁屑のうち、切り屑２００が排出される回収容器１１０と、断裁屑のうち、回収容器１１０に収容できない切れ端４００が排出されるサブトレイ１１３と、成果物３００をメイントレイ１１２に排出し、切り屑２００を回収容器１１０に排出し、切れ端４００をサブトレイ１１３に排出する制御を行う制御部と、を備える。【選択図】図１
2019188553.tif 000002
【特許請求の範囲】
【請求項１】
印刷用紙を搬送する搬送部と、
前記搬送部により搬送される前記印刷用紙を、成果物と、前記成果物以外の不要領域とに分割する断裁部と、
前記搬送部により搬送される前記成果物が排出されるメイン出力部と、
前記不要領域のうち、第１不要領域が排出される収容部と、
前記不要領域のうち、前記収容部に収容できない第２不要領域が排出されるサブ出力部と、
前記成果物を前記メイン出力部に排出し、前記第１不要領域を前記収容部に排出し、前記第２不要領域を前記サブ出力部に排出する制御を行う制御部と、を備えた
後処理装置。
【請求項２】
前記制御部は、前記不要領域の大きさによって、前記第１不要領域及び前記第２不要領域を区別する
請求項１に記載の後処理装置。
【請求項３】
前記制御部は、前記不要領域の搬送方向の長さ、及び前記搬送方向に交差する方向の長さに応じて、前記収容部に前記第１不要領域を収容させるか、又は前記サブ出力部に前記第２不要領域を排出させるかの判断を行う
請求項２に記載の後処理装置。
【請求項４】
前記制御部は、前記不要領域の搬送方向の長さ、及び前記搬送方向に交差する方向の長さと、前記収容部の搬送方向の長さ、及び前記搬送方向に交差する方向の長さとを比較した比較結果に基づいて、前記収容部に前記第１不要領域を収容させるか、又は前記サブ出力部に前記第２不要領域を排出させるかの判断を行う
請求項２に記載の後処理装置。
【請求項５】
前記第１不要領域の前記搬送方向の長さ、及び前記搬送方向に交差する方向の長さは、前記収容部の前記搬送方向の長さ、及び前記搬送方向に交差する方向の長さに合わせて設定される
請求項４に記載の後処理装置。
【請求項６】
前記第１不要領域は、前記断裁部が前記印刷用紙を断裁した後、落下することで前記収容部に排出される
請求項１〜５のいずれか一項に記載の後処理装置。
【請求項７】
前記断裁部から前記メイン出力部まで設けられたメイン搬送路と、前記断裁部から前記サブ出力部まで設けられたサブ搬送路との分岐箇所に設けられ、前記分岐箇所に搬送された前記成果物を前記メイン搬送路に誘導し、前記分岐箇所に搬送された前記第２不要領域を前記サブ搬送路に誘導する搬送方向切替部を備える
請求項１に記載の後処理装置。
【請求項８】
前記制御部は、前記搬送方向切替部が回動することで、前記搬送方向切替部へ連続して搬送される前記成果物と前記第２不要領域の搬送を妨げる場合、前記搬送方向切替部に搬送される前記成果物と前記第２不要領域との間に間隔を設ける制御を行う
請求項７に記載の後処理装置。
【請求項９】
前記制御部は、前記断裁部が前記印刷用紙を断裁しない場合、前記成果物を前記サブ出力部に排出する
請求項１に記載の後処理装置。
【発明の詳細な説明】
【技術分野】
【０００１】
本発明は、後処理装置に関する。
【背景技術】
【０００２】
後処理装置は、画像形成装置により画像等が印刷された印刷用紙に、必要に応じてパンチ、ステープル、製本、及び糊による貼り付け等のユーザが希望する後処理を加えて出力する機能を持っている。
【０００３】
画像が印刷された印刷用紙に後処理装置が行う後処理には、画像等が印刷された印刷用紙を所定サイズに断裁する断裁処理がある。この断裁処理は、後処理装置に設けられたディスクカッター等を含む断裁部が印刷用紙を所定サイズに断裁することにより行われる。通常、搬送方向に交差する方向（主走査方向）の「ＣＤ（Cross Direction）方向」への断裁と、搬送方向（副走査方向）である「ＦＤ（Feed Direction）方向」への断裁とを組み合わせることで印刷用紙が複数に分割される。
【０００４】
そして、複数に分割された印刷用紙は、目的とする画像等が印刷された「成果物（例えば、名刺、カード、はがき等）」と、不要領域である「断裁屑（例えば、印刷用紙の余白）」とに分けられる。
成果物は、通常、後処理装置に設けられた出力トレイに排出される。一方、断裁屑は、通常、後処理装置に設けられた回収容器に落とされる。
【０００５】
しかし、断裁屑が回収容器より大きい場合、回収容器に収まりきらないことがあった。断裁屑が回収容器に収まりきらなければ、断裁屑を細かく断裁してから回収容器に排出する後処理装置がある。しかし、断裁屑を細かく断裁するまでに多段階の手順を踏むので、次の印刷用紙の後処理を開始するまでの時間が長くなり、所定時間あたりの排出枚数が減ることで生産性が低下していた。また、断裁屑を細かく断裁する後処理装置では、断裁回数が増えるのでディスクカッター等の寿命が低下してしまったり、専用機構を導入するための追加費用等がかかっていた。後処理として断裁を行う技術の一例として、以下の特許文献１及び２に開示された技術が知られている。
【０００６】
特許文献１には、切断動作の終了における切断刃の位置が、プリント用紙の幅方向の一側と他側とで交互になり、切り屑は幅方向の一側と他側とで交互に回収容器へ落下させる技術が開示されている。
【０００７】
特許文献２には、印刷条件で設定された用紙種類および用紙サイズに基づいて紙厚及び用紙幅を考慮した切りくず幅を設定する技術が開示されている。また、切りくず入れを設けている場合にはその幅も考慮して切りくず幅を設定する技術が開示されている。
【先行技術文献】
【特許文献】
【０００８】
【特許文献１】特開２００７−２６１０３８号公報
【特許文献２】特開２００３−２４８５６０号公報
【発明の概要】
【発明が解決しようとする課題】
【０００９】
ところで、特許文献１に開示された技術では、切り屑が回収容器の片側に偏って堆積することを防ぐために、ＣＤ方向の切断刃の動きを制御している。また、特許文献２に開示された技術では、切り屑が切りくず入れに落ちるように、紙厚、仕上がりサイズの切断方向の長さ、及び、紙質の少なくとも１つを考慮して切りくず幅を設定している。
【００１０】
しかし、特許文献１及び２のいずれにおいても、切り屑が回収容器よりも大きければ、回収容器に収容可能な大きさとなるまで切り屑を細かく断裁しなければならない。このため、依然としてディスクカッター等の寿命が低下したり、生産性が低下したりしていた。
【００１１】
本発明はこのような状況に鑑みて成されたものであり、印刷用紙から分割される成果物以外の不要領域の排出を効率的に行うことを目的とする。
【課題を解決するための手段】
【００１２】
本発明に係る後処理装置は、印刷用紙を搬送する搬送部と、搬送部により搬送される印刷用紙を、成果物と、成果物以外の不要領域とに分割する断裁部と、搬送部により搬送される成果物が排出されるメイン出力部と、不要領域のうち、第１不要領域が排出される収容部と、不要領域のうち、収容部に収容できない第２不要領域が排出されるサブ出力部と、成果物をメイン出力部に排出し、第１不要領域を収容部に排出し、第２不要領域をサブ出力部に排出する制御を行う制御部と、を備える。
【発明の効果】
【００１３】
本発明によれば、印刷用紙から分割される成果物以外の不要領域を、収容部に収容できる第１不要領域と、収容部に収容できない第２不要領域とに分けて、第１不要領域と第２不要領域の排出先を変更する。このため、収容部が満杯になる頻度を減らすことができる。
上記した以外の課題、構成及び効果は、以下の実施の形態の説明により明らかにされる。
【図面の簡単な説明】
【００１４】
【図１】本発明の第１の実施の形態に係る後処理装置の内部の構成例を示す概要図である。
【図２】本発明の第１の実施の形態に係る印刷用紙をＣＤ方向及びＦＤ方向に断裁処理する際の断裁例を示す概要図である。
【図３】本発明の第１の実施の形態に係る後処理装置の主要部の構成例を示すハードウェア構成図である。
【図４】本発明の第１の実施の形態に係るページ情報テーブルの例を示す説明図である。
【図５】本発明の第１の実施の形態に係る切り屑サイズテーブルの例を示す説明図である。
【図６】本発明の第１の実施の形態に係る印刷用紙の断裁位置の例を示す説明図である。
【図７】本発明の第１の実施の形態に係る状態Ｃ１とした搬送方向切替部が成果物をメイン搬送路に誘導する様子を示す概要図である。
【図８】本発明の第１の実施の形態に係る状態Ｃ２とした搬送方向切替部が切れ端をサブ搬送路に誘導する様子を示す概要図である。
【図９】本発明の第１の実施の形態に係る後処理装置が実行する断裁処理の例を示すフローチャートである。
【図１０】本発明の第２の実施の形態に係る状態Ｃ３とした搬送方向切替部が成果物をメイン搬送路に誘導する様子を示す概要図である。
【図１１】本発明の第２の実施の形態に係る状態Ｃ４とした搬送方向切替部が切れ端をサブ搬送路に誘導する様子を示す概要図である。
【図１２】本発明の第１及び第２の実施の形態に係る搬送方向切替部の変形例を示す概要図である。
【発明を実施するための形態】
【００１５】
以下、本発明を実施するための形態例について、添付図面を参照して説明する。本明細書及び図面において、実質的に同一の機能又は構成を有する構成要素については、同一の符号を付することにより重複する説明を省略する。
【００１６】
［第１の実施の形態］
＜後処理装置の内部の構成例＞
まず、本発明の第１の実施の形態に係る後処理装置１００の内部の構成例について、図１を参照して説明する。
図１は、後処理装置１００の内部の構成例を示す概要図である。
後処理装置１００には、例えば、不図示の画像形成装置が接続されており、画像形成装置にて印刷された印刷用紙Ｐが搬送される。
【００１７】
後処理装置１００は、搬送部１０４により搬送される印刷用紙Ｐに所定の断裁処理を行うための制御部１０、断裁部１０１、搬送部１０４、搬送方向切替部１０５及び回収容器１１０（収容部の一例）を備える。また、後処理装置１００は、メイントレイ１１２（メイン出力部の一例）、サブトレイ１１３（サブ出力部の一例）、搬送方向切替ローラー１１４を備える。また、後処理装置１００は、メイン搬送路Ｔ３、サブ搬送路Ｔ４を備える。
【００１８】
印刷用紙Ｐには、後述する図６に示すように成果物３００となる画像等が印刷された領域の他に、断裁屑（不要領域の一例）である切り屑２００及び切れ端４００となる余白が含まれる。本明細書において、回収容器の幅と奥行のサイズより小さい断裁屑を「切り屑」と呼び、回収容器の幅と奥行きのサイズより大きい断裁屑を「切れ端」と呼ぶ。
【００１９】
断裁部１０１は、印刷用紙Ｐを、印刷用紙Ｐの搬送方向と交差する方向であるＣＤ方向に断裁するＣＤ断裁部１０２を備える。以下の説明では、印刷用紙ＰをＣＤ方向に断裁することを「ＣＤ断裁」とも呼ぶ。
また、断裁部１０１は、ＣＤ断裁部１０２により断裁された印刷用紙Ｐを、印刷用紙Ｐの搬送方向と同じ方向であるＦＤ方向に断裁するＦＤ断裁部１０３を備える。印刷用紙ＰをＦＤ方向に断裁することを「ＦＤ断裁」とも呼ぶ。ＦＤ断裁部１０３は、ＣＤ断裁部１０２に対して印刷用紙Ｐの搬送方向の後段に設置される。
ＣＤ断裁部１０２及びＦＤ断裁部１０３は、ディスクカッター、ギロチンカッター等の紙を切るための機構を有していればよい。
【００２０】
断裁処理には、印刷用紙Ｐを断裁部１０１がＣＤ断裁する工程と、印刷用紙Ｐを断裁部１０１がＦＤ断裁する工程とが含まれる。そのため、印刷用紙Ｐに対して「ＣＤ断裁」と「ＦＤ断裁」を区別しない時は「断裁」と総称する場合がある。
【００２１】
ＣＤ断裁部１０２及びＦＤ断裁部１０３により断裁された印刷用紙Ｐは、切り屑２００、成果物３００又は切れ端４００として後続の搬送部１０４により搬送される。ＣＤ断裁部１０２が断裁して生成した切り屑２００は、排出方向Ｔ１に沿って落下することで回収容器１１０に排出される。排出方向Ｔ１は、印刷用紙ＰをＣＤ断裁して生じた切り屑２００を、回収容器１１０内に排出する方向を表している。
【００２２】
また、ＦＤ断裁部１０３が断裁して生成した切り屑２００は、排出方向Ｔ２に沿って落下することで回収容器１１０に排出される。排出方向Ｔ２は、印刷用紙ＰをＦＤ断裁して生じた切り屑２００を、回収容器１１０内に排出する方向を表している。
【００２３】
一方、成果物３００は、メイン搬送路Ｔ３に搬送され、メイントレイ１１２に排出される。切れ端４００は、サブ搬送路Ｔ４に搬送され、サブトレイ１１３に排出される。
【００２４】
ここで、断裁部１０１は、制御部１０が印刷用紙Ｐに対してＣＤ断裁を行った後に、ＦＤ断裁を行うように制御される。そして、印刷用紙Ｐは、断裁部１０１により所定のサイズに断裁された切り屑２００、成果物３００又は切れ端４００のいずれかとなる。また、切り屑２００の搬送方向の長さ、及び搬送方向に交差する方向の長さは、回収容器１１０の搬送方向の長さ、及び搬送方向に交差する方向の長さに合わせて設定される。
【００２５】
回収容器１１０は、断裁部１０１により生成される切り屑２００が排出方向Ｔ１、排出方向Ｔ２に沿って落下する落下先である、断裁部１０１の下方位置に配置される。このため、切り屑２００は、断裁部１０１により断裁された後、すぐに落下して回収容器１１０に収容される。ここで、排出方向Ｔ１、排出方向Ｔ２に沿って、断裁部１０１から回収容器１１０まで切り屑２００の落下を誘導する機構を後処理装置１００に設けてもよいし、設けなくてもよい。
【００２６】
また、回収容器１１０は、断裁部１０１に対して一つだけ設けてもよいし、ＣＤ断裁部１０２及びＦＤ断裁部１０３に対してそれぞれ一つずつ設けてもよい。
制御部１０は、回収容器１１０が切り屑２００で満杯になった場合、ユーザに向けて切り屑２００を機外に廃棄するよう、操作部(不図示)等に表示し、警告する機能を持つ。
【００２７】
搬送部１０４は、印刷用紙Ｐの搬送を促進補助するための小型のローラであり、印刷用紙搬送路Ｒ１、メイン搬送路Ｔ３及びサブ搬送路Ｔ４に沿って複数箇所に設けられている。
【００２８】
搬送方向切替部１０５は、断裁部１０１からメイントレイ１１２まで設けられたメイン搬送路Ｔ３と、断裁部１０１からサブトレイ１１３まで設けられたサブ搬送路Ｔ４との分岐箇所に設けられる。そして、搬送方向切替部１０５は、分岐箇所に搬送された成果物３００をメイン搬送路Ｔ３に誘導し、分岐箇所に搬送された切れ端４００をサブ搬送路Ｔ４に誘導するようメイン搬送路Ｔ３又はサブ搬送路Ｔ４のいずれかに切替える。これにより、メイン搬送路Ｔ３は、メイントレイ１１２まで成果物３００を搬送し、サブ搬送路Ｔ４は、サブトレイ１１３まで切れ端４００を搬送する。
【００２９】
メイントレイ１１２は、後処理装置１００の左部に配置され、搬送方向切替部１０５により切替えられたメイン搬送路Ｔ３に接続されている。制御部１０は、断裁部１０１により断裁された成果物３００がメイン搬送路Ｔ３によりメイントレイ１１２に搬送されるよう制御を行う。このため、メイントレイ１１２には、メイン搬送路Ｔ３により成果物３００が排出される。
【００３０】
サブトレイ１１３は、後処理装置１００の上部に配置され、搬送方向切替部１０５により切替えられたサブ搬送路Ｔ４に接続されている。制御部１０は、断裁部１０１により断裁された切れ端４００がサブ搬送路Ｔ４によりサブトレイ１１３に搬送されるよう制御を行う。このため、サブトレイ１１３には、切れ端４００が搬送される。なお、制御部１０は、サブ搬送路Ｔ４により成果物３００がサブトレイ１１３に搬送されるように制御を行ってもよい。
【００３１】
搬送方向切替ローラー１１４は、搬送方向切替部１０５に対面する位置に配置されている。搬送方向切替ローラー１１４は、搬送部１０４と共に、印刷用紙Ｐの搬送を補助する機能を有している。また、搬送方向切替ローラー１１４は、搬送方向切替部１０５が切り替えられると、切れ端４００がサブ搬送路Ｔ４に誘導されるように、切れ端４００に対するサブトレイ１１３への搬送を補助する。
【００３２】
＜印刷用紙をＣＤ方向及びＦＤ方向に断裁処理する際の断裁例＞
次に、本発明の第１の実施の形態に係る印刷用紙ＰをＣＤ方向及びＦＤ方向に断裁処理する際の断裁例について、図２を参照して説明する。
図２は、印刷用紙ＰをＣＤ断裁及びＦＤ断裁する断裁部１０１の内部構成例を示す斜視図である。
ＣＤ断裁部１０２及びＦＤ断裁部１０３として、例えば、印刷用紙Ｐを挟み込むように設置されたディスクカッター対が設けられる。
【００３３】
ＣＤ断裁は、断裁部１０１内の搬送方向上流側に設けられた断裁位置Ｈ１で行われる。断裁位置Ｈ１にあるＣＤ断裁部１０２は、ＦＤ方向には移動しないが、ＣＤ方向に刃を向けて往復する。
ＦＤ断裁は、断裁部１０１内の搬送方向下流側に設けられた断裁位置Ｈ２で行われる。断裁位置Ｈ２にあるＦＤ断裁部１０３は、ＦＤ方向に刃を向けているがＦＤ方向には移動せず、ＣＤ方向に可動である。例えば、成果物３００のＣＤ方向のサイズに合わせてＦＤ断裁部１０３は移動できる。
【００３４】
制御部１０は、断裁処理の指示があると、まず、断裁位置Ｈ１まで搬送部１０４を駆動して印刷用紙Ｐを搬送する。そして、制御部１０は、断裁位置Ｈ１で印刷用紙Ｐを停止させ、印刷用紙Ｐを挟み込むようにＣＤ断裁部１０２を押し当ててＣＤ方向に往復させることで、印刷用紙ＰのＣＤ断裁を完了する。
【００３５】
ＣＤ断裁が終了すると、制御部１０は、再び、搬送部１０４を駆動し、断裁位置Ｈ２まで印刷用紙Ｐを搬送する。このとき、制御部１０は、断裁位置Ｈ２にあるＦＤ断裁部１０３をＣＤ方向の所定の位置まで移動させておく。そして、制御部１０は、印刷用紙Ｐを挟み込むようにＦＤ断裁部１０３を印刷用紙Ｐに押し当てたまま、搬送部１０４に印刷用紙Ｐを搬送させることで、ＦＤ断裁を完了する。
【００３６】
＜後処理装置の主要部の構成例＞
次に、本発明の第１の実施の形態に係る後処理装置１００の主要部の構成例を図３を参照して説明する。
図３は、後処理装置１００の主要部の構成例を示すハードウェア構成図である。
後処理装置１００は、制御部１０、断裁部１０１、搬送部１０４、搬送方向切替部１０５、回収容器１１０、出力部１１１を備えている。後処理装置１００内の各部は、バスを介して接続されており、互いにデータの授受を行っている。
【００３７】
制御部１０は、ＣＰＵ（Central Processing Unit）１１、揮発メモリ１２、不揮発メモリ１３、Ｉ／Ｆ部１４によって構成される。制御部１０は、後処理装置１００内の各部の動作を制御するコンピュータである。
例えば、制御部１０は、断裁屑の大きさによって、切り屑２００及び切れ端４００を区別する。また、制御部１０は、断裁屑のＦＤ方向の長さ、及びＣＤ方向の長さに応じて、回収容器１１０に切り屑２００を収容させるか、又はサブトレイ１１３に切れ端４００を排出させるかの判断を行う。
【００３８】
制御部１０は、断裁屑のＦＤ方向の長さ、及びＣＤ方向の長さと、回収容器１１０のＦＤ方向の長さ、及びＣＤ方向の長さとを比較した比較結果に基づいて、回収容器１１０に切り屑２００を収容させるか、又はサブトレイ１１３に切れ端４００を排出させるかの判断を行う。
【００３９】
また、制御部１０は、搬送方向切替部１０５が回動することで、搬送方向切替部１０５へ連続して搬送される成果物３００と切れ端４００の搬送を妨げる場合、搬送方向切替部１０５に搬送される成果物３００と切れ端４００との間に間隔を設ける制御を行う。
また、制御部１０は、断裁部１０１が印刷用紙Ｐを断裁しない場合には、印刷用紙Ｐを成果物３００としてサブトレイ１１３に排出する。
【００４０】
断裁部１０１は、ＣＤ断裁を行うＣＤ断裁部１０２と、ＦＤ断裁を行うＦＤ断裁部１０３を備えている。
出力部１１１は、成果物３００が排出されるメイントレイ１１２と、切れ端４００が排出されるサブトレイ１１３を備えている。
【００４１】
ＣＰＵ１１は、本実施の形態に係る各機能を実現するソフトウェアのプログラムコードを不揮発メモリ１３から読み出して実行する。
揮発メモリ１２は、ＲＡＭ（Random Access Memory）等の揮発性メモリであり、揮発メモリ１２には、ＣＰＵ１１が行う各処理に必要な情報（データ）が一時的に記憶される。揮発メモリ１２には、例えば、後述する図４に示すページ情報テーブル５００が一時的に記憶される。
不揮発メモリ１３は、ＲＯＭ（Read Only Memory）等の不揮発性メモリであり、不揮発メモリ１３には、ＣＰＵ１１が動作するために必要なプログラムやデータ等が記憶されている。不揮発メモリ１３には、例えば、後述する図５に示す切り屑サイズテーブル６００が記憶されている。
【００４２】
Ｉ／Ｆ部１４は、ＮＩＣ（Network Interface Card）やモデム等で構成され、不図示の画像形成装置との接続を確立し、各種データの送受信を実行する。また、後処理装置１００が単独で用いられる場合、Ｉ／Ｆ部１４は、不図示のＰＣ（Personal Computer）端末、プリントコントローラとの間で接続を確立し、各種データの送受信を実行する。ここで、画像形成装置から受信する各種データとして、例えば、ページ情報テーブル５００等がある。
【００４３】
一方、後処理装置１００が画像形成装置に対してオフラインで設置される場合には、既に画像形成装置により画像が印刷された印刷用紙Ｐを、後処理装置にセットすることで後処理のみを実行することができる。このとき、ＵＳＢ（Universal Serial Bus）メモリを後処理装置に差し込むことで、後処理のジョブ内容であるページ情報テーブル５００を読み込ませ、ページ情報テーブル５００を不揮発メモリ１３に記憶させることができる。
【００４４】
＜ページ情報テーブル５００の例＞
次に、本発明の第１の実施の形態に係る後処理の内容を含むページ情報テーブル５００の例について図４を参照して説明する。
図４は、ページ情報テーブル５００の例を示す説明図である。
【００４５】
ページ情報テーブル５００は、例えば、画像形成装置により印刷された印刷用紙Ｐに対して行われる後処理の内容を示すテーブルである。後処理として、例えば、断裁、ステープル、パンチ、折り等がある。これらの後処理は、ユーザにより適宜設定して作成されるページ情報テーブル５００に基づいて行われる。
【００４６】
ページ情報テーブル５００は、パラメータ及び値の各項目を備える。
パラメータ項目には、用紙サイズ、成果物１位置（ＦＤ×ＣＤ）〜成果物３位置（ＦＤ×ＣＤ）、断裁処理、ステープル、パンチ及び折り等の項目が含まれる。
【００４７】
用紙サイズ項目には、さらに、印刷用紙ＰのＦＤサイズ及びＣＤサイズの項目が含まれている。
まず、用紙サイズ項目には、印刷用紙Ｐが定型サイズであるか、不定型サイズであるかを示す情報が格納される。ここでの値項目には、「不定型」が格納されている。
ＦＤサイズ項目には、ＦＤ方向の印刷用紙Ｐの長さが格納される。例えば、ＦＤサイズが「８９０ｍｍ」であることが示される。
ＣＤサイズ項目には、ＣＤ方向の印刷用紙Ｐの長さが格納される。例えば、ＦＤサイズが「３００ｍｍ」であることが示される。
【００４８】
次に、成果物１位置（ＦＤ×ＣＤ）項目には、例えば、後述する図６の中段に示す１ページ目の成果物３００に関する情報が格納される。ここで、成果物１位置（ＦＤ×ＣＤ）項目には、印刷用紙Ｐに印刷された１ページ目の「１」と記載された画像の位置情報が座標表記で格納される。成果物１位置（ＦＤ×ＣＤ）は、後述する図６の中段の印刷用紙Ｐ上で、印刷用紙Ｐの紙面から見た左上を基点（０，０）として、「（２０，２０）×（２３０，２８０）」により囲まれた矩形状の「１」の領域を表す。このため、成果物１位置（ＦＤ×ＣＤ）には、「（２０，２０）×（２３０，２８０）」が格納される。
成果物１位置（ＦＤ×ＣＤ）項目と同様に、成果物２位置（ＦＤ×ＣＤ）項目と成果物３位置（ＦＤ×ＣＤ）項目についても、例えば、後述する図６の中段に示す２ページ目の「２」と記載された画像の位置情報、３ページ目の「３」と記載された画像の位置情報が格納される。
【００４９】
断裁処理項目には、さらに、印刷用紙Ｐに対するＦＤ断裁、ＦＤ断裁数、ＣＤ断裁及びＣＤ断裁数の項目が含まれている。
断裁処理項目には、成果物３００を生成するために、断裁処理が必要か否かを示す情報が格納される。断裁処理が必要であれば、断裁処理項目に「Ｙｅｓ」が格納される。これは、印刷用紙Ｐに対して、断裁部１０１により断裁処理が行われることを示している。
【００５０】
ＦＤ断裁項目には、印刷用紙ＰのＦＤ断裁が必要か否かを示す情報が格納される。ＦＤ断裁が必要であれば、ＦＤ断裁項目に「Ｙｅｓ」が格納される。これは、印刷用紙Ｐに対して、断裁部１０１によりＦＤ断裁が行われることを示している。
【００５１】
ＦＤ断裁数項目には、印刷用紙Ｐに対してＦＤ断裁を行う回数が格納される。例えば、ＦＤ断裁数が、「２」であることが示される。これは、印刷用紙Ｐに対して、断裁部１０１によりＦＤ断裁が２回行われることを示している。
【００５２】
そして、ＦＤ断裁数項目には、ＦＤ断裁位置１及びＦＤ断裁位置２の項目が含まれている。
ＦＤ断裁位置１項目は、後述する図６の中段の「ＦＤ１」に示すＦＤ断裁の位置を表す。例えば、ＦＤ断裁位置１が、「２０ｍｍ」であることが示される。ここで、ＦＤ断裁を行う位置は、印刷用紙Ｐの搬送方向右側端部からの長さで表される（後述する図６参照）。
同様に、ＦＤ断裁位置２項目は、後述する図６の「ＦＤ２」に示すＦＤ断裁の位置を表す。例えば、ＦＤ断裁位置２が、「２８０ｍｍ」であることが示される。
【００５３】
ＣＤ断裁項目には、印刷用紙ＰのＣＤ断裁が必要か否かを示す情報が格納される。ＣＤ断裁が必要であれば、ＣＤ断裁項目に「Ｙｅｓ」が格納される。これは、印刷用紙Ｐに対して、断裁部１０１によりＣＤ断裁が行われることを示している。
【００５４】
ＣＤ断裁数項目には、印刷用紙Ｐに対してＣＤ断裁を行う回数が格納される。例えば、ＣＤ断裁数項目には、ＣＤ断裁数として「６」が格納される。これは、印刷用紙Ｐに対して、断裁部１０１によりＣＤ断裁が６回行われることを示している。
【００５５】
そして、ＣＤ断裁数項目には、ＣＤ断裁位置１〜ＣＤ断裁位置６の項目が含まれている。
ＣＤ断裁位置１は、後述する図６の「ＣＤ１」に示すＣＤ断裁の位置を表す。例えば、ＣＤ断裁位置１が、「２０ｍｍ」であることが示される。ここで、ＣＤ断裁を行う位置は、搬送方向下流端部からの長さで表される（後述する図６参照）。
【００５６】
同様に、ＣＤ断裁位置２〜ＣＤ断裁位置６は、後述する図６の「ＣＤ２」〜「ＣＤ６」に示すＣＤ断裁の位置を表す。例えば、ＣＤ断裁位置２〜ＣＤ断裁位置６が、それぞれ「２３０ｍｍ」、「２５０ｍｍ」、「４６０ｍｍ」、「４８０ｍｍ」及び「６９０ｍｍ」であることが示される。
【００５７】
ステープル項目には、成果物３００に、例えば、成果物３００をステープルで綴じるか否かを示す情報が格納される。例えば、ステープル項目に「Ｎｏ」が格納されていれば、成果物３００がステープルで綴じられない。
【００５８】
パンチ項目には、例えば、成果物３００にパンチ穴を開けるか否かを示す情報が格納される。例えば、パンチ項目に「Ｎｏ」が格納されていれば、成果物３００にパンチが行われない。
【００５９】
折り項目には、例えば、成果物３００に折り加工をするか否かを示す情報が格納される。例えば、折り項目に「Ｎｏ」が格納されていれば、成果物３００に折り加工が行われない。
【００６０】
＜切り屑サイズテーブル６００の例＞
次に、本発明の第１の実施の形態に係る回収容器１１０へ収容可能な切り屑２００のサイズを規定した切り屑サイズテーブル６００の例について、図５を参照して説明する。
図５は、切り屑サイズテーブル６００の例を示す説明図である。
【００６１】
切り屑サイズテーブル６００は、回収容器１１０へ収容可能な切り屑２００のサイズを規定したテーブルである。切り屑サイズテーブル６００は、パラメータ及び値の各項目を備える。
パラメータ項目には、ＦＤ断裁収容可能サイズ（ＦＤ×ＣＤ）と、ＣＤ断裁収容可能サイズ（ＦＤ×ＣＤ）の項目が含まれている。
【００６２】
ＦＤ断裁収容可能サイズ（ＦＤ×ＣＤ）項目には、回収容器１１０に収容可能な切り屑２００のサイズとして、印刷用紙ＰをＦＤ断裁して生成される切り屑２００のサイズが格納される。例えば、ＦＤ断裁収容可能サイズ（ＦＤ×ＣＤ）項目に「３５０ｍｍ×１００ｍｍ」が格納される。図５の上段の欄外の右側には、「３５０ｍｍ×１００ｍｍ」のＦＤ断裁収容可能サイズが表される。ＦＤ断裁された切り屑２００のＦＤ方向の長さが、３５０ｍｍ以下であれば、ＦＤ断裁された切り屑２００が回収容器１１０に収容可能となる。
【００６３】
ＣＤ断裁収容可能サイズ（ＦＤ×ＣＤ）項目には、回収容器１１０に収容可能な切り屑２００のサイズとして、印刷用紙ＰをＣＤ断裁して生成される切り屑２００のサイズが格納される。例えば、ＣＤ断裁収容可能サイズ（ＦＤ×ＣＤ）項目に「１００ｍｍ×３５０ｍｍ」が格納される。図５の下段の欄外の右側には、「１００ｍｍ×３５０ｍｍ」のＣＤ断裁収容可能サイズが表される。ＣＤ断裁された切り屑２００のＣＤ方向の長さが、３５０ｍｍ以下であれば、ＣＤ断裁された切り屑２００が回収容器１１０に収容可能となる。
【００６４】
＜印刷用紙が断裁される様子の例＞
次に、本発明の第１の実施の形態に係る印刷用紙Ｐが断裁される様子の例を図６を参照して説明する。
図６は、印刷用紙Ｐの断裁位置の例を示す説明図である。
【００６５】
図６の上段は、画像形成装置により画像等が印刷された印刷用紙Ｐの例を示す。
図６の上段に示す印刷用紙Ｐには、画像形成装置により印刷された１ページ目の矩形画像を「Ｐ．１」、２ページ目の矩形画像を「Ｐ．２」、３ページ目の矩形画像を「Ｐ．３」のようにページ番号が付されている。このため、各ページの矩形画像をページ番号で識別できる。
【００６６】
印刷用紙Ｐに印刷された「Ｐ．１」〜「Ｐ．３」の矩形画像が断裁されて、成果物３００として生成される。印刷用紙Ｐには、「Ｐ．１」〜「Ｐ．３」の矩形画像の他に、余白がある。この余白が分割されることで、断裁屑である切り屑２００及び切れ端４００のいずれかとなる。
【００６７】
「Ｐ．１」〜「Ｐ．３」の矩形画像が印刷された印刷用紙Ｐは、図６に右から左への片矢印で示される搬送方向に搬送される。印刷用紙Ｐは、例えば、短辺（３００ｍｍ）と長辺（８９０ｍｍ）により構成される長尺紙である。また、図中には、搬送方向と同方向であり、右から左への両矢印で示されるＦＤ方向と、搬送方向と交差する方向であり、上から下への両矢印で示されるＣＤ方向が示される。
【００６８】
図６の中段は、後処理装置が受信した図４のページ情報テーブル５００に基づいて、印刷用紙Ｐの断裁位置、及び成果物３００の位置情報を印刷用紙Ｐに付加した様子が示されている。
図６の中段には、ページ情報テーブル５００の成果物１位置（ＦＤ×ＣＤ）に基づいて「（２０，２０）×（２３０，２８０）」により囲まれた「成果物１」が示される。印刷用紙Ｐに対して、断裁処理が行われることにより、「１」と記載された１ページ目の成果物３００が生成される。
【００６９】
同様に、図６の中段には、ページ情報テーブル５００の成果物２位置（ＦＤ×ＣＤ）に基づいて「（２５０，２０）×（４６０，２８０）」により囲まれた「成果物２」が示される。また、ページ情報テーブル５００の、成果物３位置（ＦＤ×ＣＤ）に基づいて「（４８０，２０）×（６９０，２８０）」により囲まれた「成果物３」が示される。印刷用紙Ｐに対して、断裁処理が行われることにより、「２」と記載された２ページ目の成果物３００、「３」と記載された３ページ目の成果物３００が生成される。
一方、印刷用紙Ｐのうち、「成果物１」〜「成果物３」以外の領域は、「断裁屑」となる。
【００７０】
印刷用紙Ｐの左側面（ＦＤ１、ＦＤ２）及び下側面（ＣＤ１〜ＣＤ６）に付された矢印は、断裁部１０１が断裁処理を行うための断裁位置を表す。ＦＤ１、ＦＤ２がＦＤ断裁の位置を表し、ＣＤ１〜ＣＤ６がＣＤ断裁の位置を表す。
【００７１】
ＦＤ１は、「成果物１」の（２０，２０）、「成果物２」の（２５０，２０）、「成果物３」の（４８０，２０）を通るように印刷用紙ＰをＦＤ断裁する位置を示している。ＦＤ２は、「成果物１」の（２３０，２８０）、「成果物２」の（４６０，２８０）、「成果物３」の（６９０，２８０）を通るように印刷用紙ＰをＦＤ断裁する位置を示している。
【００７２】
ＣＤ１は、ＣＤ断裁する位置が、ページ情報テーブル５００のＣＤ断裁位置１に示される位置で印刷用紙ＰがＣＤ断裁されることを表す。例えば、ＣＤ１は、印刷用紙Ｐの搬送方向下流端部からの長さが「２０ｍｍ」の位置である。このため、「成果物１」の（２０，２０）を通るように印刷用紙ＰがＣＤ断裁される。
また、ＣＤ２は、ＣＤ断裁する位置が、ページ情報テーブル５００のＣＤ断裁位置２に示される位置で印刷用紙ＰがＣＤ断裁されることを表す。例えば、ＣＤ２は、印刷用紙Ｐの搬送方向下流端部からの長さが「２３０ｍｍ」の位置である。このため、「成果物１」の（２３０，２８０）を通るように印刷用紙ＰがＣＤ断裁される。
同様に、ＣＤ３〜ＣＤ６についても、ページ情報テーブル５００のＣＤ断裁位置３〜ＣＤ断裁位置６に示される位置で印刷用紙ＰがＣＤ断裁される。
【００７３】
図６の下段は、断裁処理が行われたことにより成果物３００、切り屑２００及び切れ端４００に分割された印刷用紙Ｐの例を表している。さらに、各断裁屑に切り屑２００及び切れ端４００を識別するための番号を付して「断裁屑ｋ」と呼ぶことで、断裁屑を識別する。ｋは、「４」〜「１３」のいずれかの数値である。
【００７４】
「断裁屑４」は、印刷用紙Ｐの搬送方向下流端部と、「成果物１」の左端との間の領域であり、「成果物１」の左端に沿うＣＤ１の位置で印刷用紙ＰがＣＤ断裁されることで印刷用紙Ｐから分割される。
「断裁屑７」は、「成果物１」の右端と、「成果物２」の左端との間の領域であり、「成果物１」の右端に沿うＣＤ２の位置と、「成果物２」の左端に沿うＣＤ３の位置とで印刷用紙ＰがＣＤ断裁されることで印刷用紙Ｐから分割される。
「断裁屑１０」は、「成果物２」の右端と、「成果物３」の左端との間の領域であり、「成果物２」の右端に沿うＣＤ４の位置と、「成果物３」の左端に沿うＣＤ５の位置とで印刷用紙ＰがＣＤ断裁されることで印刷用紙Ｐから分割される。
また、「断裁屑１３」は、「成果物３」の右端と、搬送方向上流端部との間の領域であり、「成果物３」の右端に沿うＣＤ６の位置で印刷用紙ＰがＣＤ断裁されることで印刷用紙Ｐから分割される。
【００７５】
「断裁屑５」、「断裁屑８」、「断裁屑１１」は、印刷用紙ＰがＦＤ１の位置でＦＤ断裁されることで印刷用紙Ｐから分割される領域である。
また、「断裁屑６」、「断裁屑９」、「断裁屑１２」は、印刷用紙ＰがＦＤ２の位置でＦＤ断裁されることで印刷用紙Ｐから分割される領域である。
【００７６】
「成果物１」〜「成果物３」は、断裁処理を経て「２１０ｍｍ×２６０ｍｍ」のサイズの成果物３００となる。
一方、「断裁屑５、６、８、９、１１、１２」のサイズは、いずれも「２１０ｍｍ×２０ｍｍ（ＦＤ×ＣＤ）」である。ＦＤ断裁収容可能サイズ（ＦＤ×ＣＤ）である「３５０ｍｍ×１００ｍｍ」と比較すると、「断裁屑５、６、８、９、１１、１２」は、図５に示したＦＤ断裁収容可能サイズ（ＦＤ×ＣＤ）の回収容器１１０に収容可能な大きさであるため切り屑２００として扱われる。
【００７７】
また、「断裁屑４、７、１０」のサイズは、いずれも「２０ｍｍ×３００ｍｍ（ＦＤ×ＣＤ）」である。ＣＤ断裁収容可能サイズ（ＦＤ×ＣＤ）である「１００ｍｍ×３５０ｍｍ」と比較すると、「断裁屑４、７、１０」は、図５に示したＣＤ断裁収容可能サイズ（ＦＤ×ＣＤ）の回収容器１１０に収容可能な大きさであるため切り屑２００として扱われる。
【００７８】
なお、「断裁屑１３」は、「２００ｍｍ×３００ｍｍ」のサイズであるから、ＦＤ断裁収容可能サイズ及びＣＤ断裁収容可能サイズに該当しないので、切れ端４００として扱われる。
【００７９】
＜状態Ｃ１とした搬送方向切替部が成果物をメイン搬送路に誘導する様子＞
次に、本発明の第１の実施の形態に係る搬送方向切替部１０５の状態Ｃ１、状態Ｃ２について図７と図８を参照して説明する。図７と図８に示す搬送方向切替部１０５は可動であり、状態Ｃ１（図７参照）と状態Ｃ２（図８参照）のいずれかの状態を取る。
【００８０】
まず、状態Ｃ１とした搬送方向切替部１０５が成果物３００をメイン搬送路Ｔ３に誘導する様子について、図７を参照して説明する。
図７は、状態Ｃ１とした搬送方向切替部１０５が成果物３００をメイン搬送路Ｔ３に誘導する様子を示す概要図である。
【００８１】
図７の上段には、断裁部１０１を通過した成果物３００が、搬送方向切替部１０５によりメイン搬送路Ｔ３に誘導され、メイントレイ１１２に排出されるまでの様子が示されている。断裁部１０１を通過した成果物３００をメイン搬送路Ｔ３に誘導可能な位置にある搬送方向切替部１０５を「状態Ｃ１」と呼ぶ。
搬送方向切替部１０５の断面形状は、搬送方向上流側の縁が搬送方向切替ローラー１１４の外周面に合わせて丸く湾曲しており、搬送方向下流側の縁が尖っている。
【００８２】
図７の中段は、図７の上段に示した成果物３００が搬送方向切替部１０５の下側を通過する様子を示す斜視図である。３基の搬送方向切替部１０５が、ＣＤ方向に並んで配置されている。なお、搬送方向切替部１０５は、図７の中段に示した個数や位置に限定されない。例えば、複数の搬送方向切替部１０５をＣＤ方向に連結することで、印刷用紙ＰのＣＤ方向の長さと同じ長さとした搬送方向切替部１０５を設けてもよい。
【００８３】
図７の下段は、成果物３００が搬送方向切替部１０５の上流端１０５ａの下側を通過する時における搬送方向切替部１０５の状態Ｃ１、成果物３００及び切れ端４００の様子を示している。搬送方向切替部１０５の上流端１０５ａは、搬送される成果物３００の上側に位置するため、上流端１０５ａと成果物３００は接触しない。このため、搬送方向切替部１０５の下側を通過した成果物３００が、そのままメイン搬送路Ｔ３に誘導される。状態Ｃ１における搬送方向切替部１０５の下面と、搬送方向とがなす角度は約０°である。このとき、搬送方向切替部１０５は傾いていないものとする。
【００８４】
＜状態Ｃ２とした搬送方向切替部が切れ端をサブ搬送路に誘導する様子＞
次に、状態Ｃ２とした搬送方向切替部１０５が切れ端４００をサブ搬送路Ｔ４に誘導する様子について図８を参照して説明する。
図８は、状態Ｃ２とした搬送方向切替部１０５が切れ端４００をサブ搬送路Ｔ４に誘導する様子を示す概要図である。
【００８５】
図８の上段には、断裁部１０１を通過した切れ端４００が、搬送方向切替部１０５によりサブ搬送路Ｔ４に誘導され、サブトレイ１１３に排出されるまでの様子が示されている。断裁部１０１を通過した切れ端４００をサブ搬送路Ｔ４に誘導可能な位置にある搬送方向切替部１０５を「状態Ｃ２」と呼ぶ。
【００８６】
図８の中段は、図８の上段に示した切れ端４００が搬送方向切替部１０５の湾曲面１０５ｂに沿って上方に搬送される様子を示す斜視図である。
【００８７】
図８の下段は、切れ端４００が搬送方向切替部１０５の湾曲面１０５ｂに沿って上方に搬送される時における搬送方向切替部１０５の状態Ｃ２、成果物３００及び切れ端４００の様子を示している。
【００８８】
ここで、図７の下段に示したように、成果物３００が状態Ｃ１の搬送方向切替部１０５を通過した後、切れ端４００が搬送方向切替部１０５に到達するまでの間、成果物３００と切れ端４００には一定の間隔が存在する。このため、図８の下段に示すように、搬送方向切替部１０５の下方に成果物３００と切れ端４００の間隔がある時、搬送方向切替部１０５は、状態Ｃ１から状態Ｃ２の位置まで回動し静止する。このとき、搬送方向切替部１０５の上流端１０５ａは、切れ端４００の下側に位置する。そして、搬送方向切替部１０５の回動が終わるまで、切れ端４００は、搬送方向切替部１０５の前で待機する。その後、搬送部１０４により搬送が再開されると、搬送方向切替部１０５の湾曲面１０５ｂに沿って切れ端４００がサブ搬送路Ｔ４に誘導される。
【００８９】
成果物３００及び切れ端４００との間隔は、搬送方向切替部１０５が回動しやすくするために設けられる。このため、制御部１０は、成果物３００及び切れ端４００との間隔が、搬送方向切替部１０５のＦＤ方向の長さよりも長くなるように搬送部１０４の動作を制御する。ただし、成果物３００と切れ端４００の各搬送路への誘導に支障がなければ、成果物３００及び切れ端４００との間隔を搬送方向切替部１０５のＦＤ方向の長さより短くしてもよい。
【００９０】
＜後処理装置が実行する断裁処理の例＞
次に、本発明の第１の実施の形態に係る後処理装置１００が実行する断裁処理の例を図９を参照して説明する。
図９は、後処理装置１００が実行する断裁処理の例を示すフローチャートである。
処理の前提として、後処理装置１００の制御部１０は、画像形成装置からＩ／Ｆ部１４を介して受信したページ情報テーブル５００の情報を揮発メモリ１２上に展開しておく。
【００９１】
制御部１０は、ページ情報テーブル５００を参照して、画像形成装置により印刷用紙Ｐに印刷された矩形画像（例えば、図６に示す「Ｐ．１」）が、断裁処理を行うページであるか否かを１ページ目から順に判定する（Ｓ１）。制御部１０が、印刷用紙Ｐに印刷された矩形画像が断裁処理を行うページではないと判定した場合（Ｓ１のＮｏ）、ステップＳ１に戻り、次ページの判定を行う。
【００９２】
制御部１０が、印刷用紙Ｐに印刷された矩形画像が断裁処理を行うページであると判定した場合（Ｓ１のＹｅｓ）、ページ情報テーブル５００に基づいて、断裁位置（例えば、ＦＤ断裁位置１、ＣＤ断裁位置１）、及び成果物位置（例えば、図４に示す成果物１位置（ＦＤ×ＣＤ））の情報を解析する（Ｓ２）。
【００９３】
次に、制御部１０は、切り屑サイズテーブル６００の情報を揮発メモリ１２上に展開し、回収容器１１０に収容可能な切り屑２００のサイズ（例えば、図５に示すＦＤ断裁収容可能サイズ（ＦＤ×ＣＤ）及びＣＤ断裁収容可能サイズ（ＦＤ×ＣＤ））を取得する（Ｓ３）。
【００９４】
次に、制御部１０は、ページ情報テーブル５００から取得したＦＤ断裁、ＦＤ断裁数、ＦＤ断裁位置１、ＦＤ断裁位置２の各項目に格納される情報に基づいて、ＦＤ断裁位置にＦＤ断裁部１０３の各ディスクカッターを移動させる（Ｓ４）。ここで、ページ情報テーブル５００に一つのＦＤ断裁位置（例えば、ＦＤ１）しか規定されていなければ、その位置に一つのディスクカッターを移動させる。また、複数のＦＤ断裁位置（例えば、ＦＤ１，ＦＤ２）が規定されていれば、それぞれのＦＤ断裁位置にディスクカッターを移動させる。
【００９５】
次に、制御部１０は、ページ情報テーブル５００のＣＤ断裁に関する情報に基づいて、例えば、ＣＤ断裁数Ｎ（例えば、Ｎ＝６）に応じたＣＤ断裁位置（例えば、ＣＤ１〜ＣＤ６）について、ステップＳ５〜Ｓ１３の処理を繰り返す（Ｓ５）。
【００９６】
まず、制御部１０は、搬送部１０４を駆動して、ＣＤ断裁が行われる断裁位置Ｈ１（図２参照）まで印刷用紙Ｐを搬送する。このとき、搬送中の印刷用紙ＰにＦＤ断裁を行うＦＤ断裁位置の情報がページ情報テーブル５００にあれば、制御部１０は、ＦＤ断裁位置（例えば、ＦＤ１、ＦＤ２）にディスクカッターを移動させたＦＤ断裁部１０３により、印刷用紙Ｐを搬送しながらＦＤ断裁を実行する（Ｓ６）。ただし、制御部１０は、ＦＤ断裁位置の情報がページ情報テーブル５００になければ、ＦＤ断裁を実行しない。
【００９７】
次に、制御部１０は、印刷用紙Ｐが断裁位置Ｈ１まで到達したことを確認すると、印刷用紙Ｐを一旦停止させ、ＣＤ断裁位置ｎ（例えば、「１」）でＣＤ断裁を実行する（Ｓ７）。
【００９８】
次に、制御部１０は、印刷用紙Ｐから成果物３００が分割されたか否かの判定を行う（Ｓ８）。制御部１０は、印刷用紙Ｐから成果物３００が分割されたと判定した場合（Ｓ８のＹｅｓ）、成果物３００をメイントレイ１１２に排出する（Ｓ９）。このとき、制御部１０は、搬送方向切替部１０５が状態Ｃ１となるように動作を制御する。
【００９９】
制御部１０が、印刷用紙Ｐから成果物３００が分割されていないと判定した場合（Ｓ８のＮｏ）、印刷用紙Ｐから分割されたのは断裁屑であると判定し、断裁位置（例えば、ＦＤ１、ＣＤ１）の情報から断裁屑のサイズを算出する（Ｓ１０）。
【０１００】
次に、制御部１０は、算出した断裁屑のサイズが、ＦＤ断裁収容可能サイズ（ＦＤ×ＣＤ）、及びＣＤ断裁収容可能サイズ（ＦＤ×ＣＤ）より大きいか否かの判定を行う（Ｓ１１）。
【０１０１】
制御部１０は、算出した断裁屑のサイズが、ＦＤ断裁収容可能サイズ（ＦＤ×ＣＤ）、及びＣＤ断裁収容可能サイズ（ＦＤ×ＣＤ）より大きいと判定した場合（Ｓ１１のＹｅｓ）、断裁屑が切れ端４００であると判定し、サブトレイ１１３に排出する（Ｓ１２）。このとき、制御部１０は、搬送方向切替部１０５が状態Ｃ２となるように動作を制御する。
【０１０２】
制御部１０は、算出した断裁屑のサイズが、ＦＤ断裁収容可能サイズ（ＦＤ×ＣＤ）、及びＣＤ断裁収容可能サイズ（ＦＤ×ＣＤ）より小さいと判定した場合（Ｓ１１のＮｏ）、断裁屑が切り屑２００であると判定し、回収容器１１０へ落下させる（Ｓ１３）。
【０１０３】
そして、制御部１０は、ステップＳ５に戻り処理を続ける。ステップＳ５において、制御部１０により、ＣＤ断裁数ｎが「１」カウントアップされる。ＣＤ断裁数ｎが、「６」になった時、ページ情報テーブル５００に規定された全てのＣＤ断裁が終了する。このため、制御部１０は、最後のＣＤ断裁位数ｎ（例えば、６）が終了したことを確認した後、ステップＳ５〜Ｓ１３の繰返し処理を終了すると共に、本処理を終了する（Ｓ１４）。
【０１０４】
以上説明した第１の実施の形態に係る後処理装置１００は、制御部１０により揮発メモリ１２で展開されたページ情報テーブル５００に基づいて、断裁部１０１に搬入された印刷用紙Ｐを断裁し、印刷用紙Ｐから切り屑２００、成果物３００及び切れ端４００を分割する。そして、制御部１０は、切り屑２００を回収容器１１０へ排出し、成果物３００をメイントレイ１１２へ排出し、切れ端４００をサブトレイ１１３へ排出する。
【０１０５】
このとき、制御部１０は、成果物３００をメイン搬送路Ｔ３に誘導するよう搬送方向切替部１０５を状態Ｃ１で維持させる。一方、制御部１０は、不揮発メモリ１３で展開された切り屑サイズテーブル６００に基づいて、断裁屑を切り屑２００として回収容器に収容するか、切れ端４００としてサブトレイ１１３に排出するかを判定する。断裁屑を切れ端４００として排出する場合には、状態Ｃ２となるように搬送方向切替部１０５を回動させて、切れ端４００をサブ搬送路Ｔ４に誘導する。
このため、回収容器１１０より大きいサイズの断裁屑を、回収容器１１０に収容することがなくなり、回収容器１１０が満杯になる回数を減らすことができる。
【０１０６】
さらに、後処理装置１００は、断裁屑を細かく断裁する工程を省くことができるので、所定時間あたりの成果物３００の排出枚数を増やし、生産性を向上させることができる。また、切り屑２００及び切れ端４００を細かく断裁する工程がないので、断裁部１０１に設けられたディスクカッター等の消耗を抑えることができる。
【０１０７】
［第２の実施の形態］
＜状態Ｃ３とした搬送方向切替部が成果物をメイン搬送路に誘導する様子＞
次に、本発明の第２の実施の形態に係る搬送方向切替部１０６の状態Ｃ３、状態Ｃ４について図１０と図１１を参照して説明する。図１０と図１１に示す搬送方向切替部１０６は可動であり、状態Ｃ３（図１０参照）と状態Ｃ４（図１１参照）のいずれかの状態を取る。この搬送方向切替部１０６は、例えば、搬送方向切替部１０６の中点に位置する軸１０６ｂを中心にして回動する。
【０１０８】
まず、状態Ｃ３とした搬送方向切替部１０６が成果物３００をメイン搬送路Ｔ３に誘導する様子について図１０を参照して説明する。
図１０は、状態Ｃ３とした搬送方向切替部１０６が成果物３００をメイン搬送路Ｔ３に誘導する様子を示す概要図である。
【０１０９】
図１０の上段には、断裁部１０１を通過した成果物３００が、搬送方向切替部１０６によりメイン搬送路Ｔ３に誘導され、メイントレイ１１２に排出されるまでの様子が示されている。断裁部１０１を通過した成果物３００をメイン搬送路Ｔ３に誘導可能な位置にある搬送方向切替部１０６を「状態Ｃ３」と呼ぶ。
搬送方向切替部１０６の断面形状は、搬送方向上流側の縁に斜面１０６ｃが設けられた線分形状である。
【０１１０】
図１０の中段は、図１０の上段に示した成果物３００が搬送方向切替部１０６の下側を通過する様子を示す斜視図である。３基の搬送方向切替部１０６が、ＣＤ方向に並んで配置されている。なお、搬送方向切替部１０６は、図１０の中段に示した個数や位置に限定されない。例えば、複数の搬送方向切替部１０６をＣＤ方向に連結することで、印刷用紙ＰのＣＤ方向の長さと同じ長さとした搬送方向切替部１０６を設けてもよい。
【０１１１】
図１０の下段は、成果物３００が搬送方向切替部１０６の上流端１０６ａの下側を通過する時における搬送方向切替部１０６の状態Ｃ３、成果物３００及び切れ端４００の状態を示している。搬送方向切替部１０６の上流端１０６ａは、搬送される成果物３００の上側に位置するため、上流端１０６ａと成果物３００は接触しない。このため、搬送方向切替部１０６の下側を通過した成果物３００が、そのままメイン搬送路Ｔ３に誘導される。状態Ｃ３における搬送方向切替部１０６の下面と、搬送方向とがなす角度は約０°である。このとき、搬送方向切替部１０６は傾いていないものとする。
【０１１２】
＜状態Ｃ４とした搬送方向切替部が切れ端をサブ搬送路に誘導する様子＞
次に、状態Ｃ４とした搬送方向切替部１０６が切れ端４００をサブ搬送路Ｔ４に誘導する様子について図１１を参照して説明する。
図１１は、状態Ｃ４とした搬送方向切替部１０６が切れ端４００をサブ搬送路Ｔ４に誘導する様子を示す概要図である。
【０１１３】
図１１の上段には、断裁部１０１を通過した切れ端４００が、搬送方向切替部１０６によりサブ搬送路Ｔ４に誘導され、サブトレイ１１３に排出されるまでの様子が示されている。断裁部１０１を通過した切れ端４００をサブ搬送路Ｔ４に誘導可能な位置にある搬送方向切替部１０６を「状態Ｃ４」と呼ぶ。
【０１１４】
図１１の中段は、図１１の上段に示した切れ端４００が搬送方向切替部１０６の搬送方向上流側の縁に施された斜面１０６ｃに沿って上方に搬送される様子を示す斜視図である。
【０１１５】
図１１の下段は、切れ端４００が搬送方向切替部１０６の搬送方向上流側の縁に施された斜面１０６ｃに沿って上方に搬送される時における搬送方向切替部１０６の状態Ｃ４、成果物３００及び切れ端４００の様子を示している。
【０１１６】
ここで、図１１の下段に示したように、搬送方向切替部１０６は、状態Ｃ３から状態Ｃ４の位置まで回動し静止する。このとき、搬送方向切替部１０６が軸１０６ｂを基点として回動することで上流端１０６ａは、切れ端４００の下側に位置する。成果物３００が搬送方向切替部１０６を通過しきる前に、搬送方向切替部１０６を状態Ｃ３から状態Ｃ４に移動することで、搬送方向切替部１０６の斜面１０６ｃに沿って切れ端４００がサブ搬送路Ｔ４に誘導される。状態Ｃ４における搬送方向切替部１０６の下面と、搬送方向とがなす角度はθである。
【０１１７】
また、第１の実施の形態とは異なり、搬送方向切替部１０６が回動することで、搬送方向切替部１０６が成果物３００及び切れ端４００の搬送を妨げることはない。このため、制御部１０は、成果物３００と切れ端４００との間に間隔を設けないように搬送部１０４の動作を制御してもよい。
【０１１８】
以上説明した第２の実施の形態に係る後処理装置１００では、搬送方向切替部１０６が軸１０６ｂを中心にして回動する。このため、第１の実施の形態において、搬送方向切替部１０５が回動するために、搬送中の成果物３００と切れ端４００との間に必要としていた間隔を省くことができる。そして、搬送方向切替部１０６がメイン搬送路Ｔ３からサブ搬送路Ｔ４に搬送先を切り替える際に、切れ端４００は搬送方向切替部１０６の前で待機する必要がなくなる。このため、搬送方向切替部１０６の状態変化に要する時間を削減することができ、生産性が向上する。
【０１１９】
［変形例］
＜搬送方向切替部の変形例＞
なお、搬送方向切替部の変形例について、図１２を参照して説明する。
図１２は、本発明の第１及び第２の実施の形態に係る搬送方向切替部１０５、１０６の変形例を示す概要図である。
【０１２０】
搬送方向切替部１０５は搬送方向切替部１０５全体が回動し、搬送方向切替部１０６では軸１０６ｂを基点に回動することで、搬送方向切替部１０５、１０６は、回動した際に搬送方向切替ローラー１１４と接触しない機構としていた。
【０１２１】
一方、変形例に係る搬送方向切替部１０７の断面形状は、搬送方向上流側の縁に斜面１０７ｃが形成され、搬送方向下流側の縁が尖った形状である。この搬送方向切替部１０７は、例えば、搬送方向切替部１０７の搬送方向下流側にある軸１０７ｂを中心として搬送方向切替部１０７全体が回動する。
【０１２２】
図１２の上段は、成果物３００が搬送方向切替部１０７の上流端１０７ａの下側を通過する時における搬送方向切替部１０７の状態Ｃ５、成果物３００及び切れ端４００の状態を示している。搬送方向切替部１０７の上流端１０７ａは、搬送される成果物３００の上側に位置するため、上流端１０７ａと成果物３００は接触しない。このため、搬送方向切替部１０７の下側を通過した成果物３００が、そのままメイン搬送路Ｔ３に誘導される。状態Ｃ５における搬送方向切替部１０７の下面と、搬送方向とがなす角度は約０°である。このとき、搬送方向切替部１０７は傾いていないものとする。
【０１２３】
図１２の下段は、切れ端４００が搬送方向切替部１０７の搬送方向上流側の縁に施された斜面１０７ｃに沿って上方に搬送される時における搬送方向切替部１０７の状態Ｃ６、成果物３００及び切れ端４００の様子を示している。
【０１２４】
ここで、図１２の下段に示したように、搬送方向切替部１０７は、状態Ｃ５から状態Ｃ６の位置まで回動し静止する。このとき、搬送方向切替部１０７が搬送方向下流側にある軸１０７ｂを基点として回動することで上流端１０７ａは、切れ端４００の下側に位置する。成果物３００が搬送方向切替部１０７を通過しきる前に、搬送方向切替部１０７を状態Ｃ５から状態Ｃ６に移動することで、搬送方向切替部１０７の斜面１０７ｃに沿って切れ端４００がサブ搬送路Ｔ４に誘導される。状態Ｃ６における搬送方向切替部１０７の下面と、搬送方向とがなす角度はψである。
【０１２５】
また、第２の実施の形態と同様、搬送方向切替部１０７が回動することで、搬送方向切替部１０７が成果物３００及び切れ端４００の搬送を妨げることはない。このため、制御部１０は、成果物３００と切れ端４００との間に間隔を設けないように搬送部１０４の動作を制御する。
【０１２６】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置の構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１２７】
１００…後処理装置、１０１…断裁部、１０４…搬送ローラー、１１０…回収容器、１１２…メイントレイ、１１３…サブトレイ、２００…切り屑、３００…成果物、４００…切れ端、Ｐ…印刷用紙
【図１】
2019188553.tif 000003
【図２】
2019188553.tif 000004
【図３】
2019188553.tif 000005
【図４】
2019188553.tif 000006
【図５】
2019188553.tif 000007
【図６】
2019188553.tif 000008
【図７】
2019188553.tif 000009
【図８】
2019188553.tif 000010
【図９】
2019188553.tif 000011
【図１０】
2019188553.tif 000012
【図１１】
2019188553.tif 000013
【図１２】
2019188553.tif 000014